(57)【要約】【課題】可動体の移動に伴って変形するケーブルによって読み取り対象の原稿の視認性が妨げられることを抑制可能な画像読取装置を提供する。【解決手段】スキャナ１では、対向配置された第一透明板３および第二透明板を保持する筐体の内部空間において、光源と検出素子とを有する検出部５が設けられた可動部６が、副走査方向Ｘに往復移動可能である。筐体の内部空間において第一透明板３と対向方向に重複しない位置には、光源および検出素子に対して電源供給および電気通信を行うためのケーブル９０が設けられる。検出部５の延設端部５０は、第一透明板３と対向方向に重複しない位置に設けられている。ケーブル９０は、延設端部５０に設けられた連結部に連結されて、光源および検出素子に対して電気的に接続する。【選択図】図５
2014168218.tif 000002
【特許請求の範囲】
【請求項１】
第一透明板と、
前記第一透明板と対向する面である第一面と、前記第一面とは反対側の面であって読み取りの対象となる原稿に接触可能な第二面とを有する第二透明板と、
前記第一透明板と前記第二透明板とを対向させた状態で、前記第一透明板と前記第二透明板との周縁部を保持し、且つ、前記第一透明板と前記第二透明板との間に形成される内部空間を有する箱状且つ非透光性の筐体と、
前記内部空間に設けられ、前記第一透明板および前記第二透明板の対向する方向である対向方向と直交する主走査方向に延び、前記第一透明板と前記第二透明板との間を移動可能な可動部と、
前記可動部に設けられ、前記第二透明板に向けて光を照射可能な光源と、前記第二透明板側から入射する光を受光可能な検出素子とを有する検出部と、
前記内部空間において前記第一透明板と前記対向方向に重複しない位置に設けられ、前記可動部を前記第一面に沿って、前記対向方向と前記主走査方向とに直交する副走査方向に往復移動させることが可能な駆動部と、
前記内部空間において前記第一透明板と前記対向方向に重複しない位置に設けられ、前記光源および前記検出素子に対して電気的に接続されたケーブルと、
前記検出部における前記主走査方向の一方側の端部であり、且つ前記第一透明板と前記対向方向に重複しない部位である延設端部において、前記ケーブルを保持するケーブル保持部と
を備えたことを特徴とする画像読取装置。
【請求項２】
前記検出部は、前記ケーブルを前記光源および前記検出素子に対して電気的に接続する連結部を備え、
前記ケーブルは、前記内部空間に固定される端部である固定部と、前記連結部に連結される端部である端子部と、前記固定部から前記端子部まで延びる複数の電線が並列配置された帯状のコード部とを有し、
前記固定部は、前記駆動部によって移動される前記可動部よりも前記副走査方向の一方側に設けられ、
前記コード部は、前記延設端部と前記第一透明板との間を経由し、且つ、前記延設端部よりも前記副走査方向の他方側で前記延設端部に向けて湾曲し、
前記端子部は、前記副走査方向の他方側から、前記連結部に連結されることを特徴とする請求項１に記載の画像読取装置。
【請求項３】
前記延設端部と対向して前記副走査方向に延びる部位であって、前記延設端部と対向する面側に前記コード部が着脱自在に収容可能な溝部が形成されたガイド部を備えたことを特徴とする請求項２に記載の画像読取装置。
【請求項４】
前記ガイド部は、前記第二透明板に向けて突出して前記溝部を形成する、前記主走査方向に対向する一対の壁部を有し、
前記一対の壁部の対向する面の突出端は、それぞれ面取りされた傾斜面であることを特徴とする請求項３に記載の画像読取装置。
【請求項５】
前記コード部を前記連結部から前記第二透明板に向けて傾斜するように案内する面である緩衝部を備えたことを特徴とする請求項２から４のいずれかに記載の画像読取装置。
【発明の詳細な説明】
【技術分野】
【０００１】
本発明は、原稿からの反射光を検出する画像読取装置に関する。
【背景技術】
【０００２】
従来、ユーザが読み取り対象の原稿を目視で確認できる状態で、原稿から画像を読み取り可能な画像読取装置が知られている（例えば、特許文献１、２参照）。このような画像読取装置では、読み取り対象の原稿に接触可能な読取用窓部と、読取用窓部の略全面に対向する確認用窓部とが設けられる。画像読取装置内には、読取用窓部と確認用窓部との間で移動可能な光学ユニットが設けられている。読取用窓部および確認用窓部は対向配置された一対の透明板であるため、原稿が読取用窓部上に設置されると、ユーザは確認用窓部から原稿を目視できる。ユーザが読み取り開始を指示すると、光学ユニットは移動しながら読取用窓部上に設置されている原稿から画像を読み取る。
【先行技術文献】
【特許文献】
【０００３】
【特許文献１】特開平１０−１３６２７号公報
【特許文献２】特開平１０−４４８６公報
【発明の概要】
【発明が解決しようとする課題】
【０００４】
画像読取装置の光学ユニットは、光源および検出素子を有する検出部と、検出部を保持して移動可能な可動体とを備える。光源および検出素子に対する電源供給および信号通信を行うために、検出部にケーブル（例えば、ＦＦＣ、ＦＰＣなど）が接続されている。可動体の移動に伴ってケーブルが弾性変形し、ケーブルが確認用窓部から目視可能な領域に現れることがある。この場合、ケーブルによって読み取り対象の原稿の視認性が妨げられる可能性があった。
【０００５】
本発明の目的は、可動体の移動に伴って変形するケーブルによって読み取り対象の原稿の視認性が妨げられることを抑制可能な画像読取装置を提供することである。
【課題を解決するための手段】
【０００６】
本発明の一態様に係る画像読取装置は、第一透明板と、前記第一透明板と対向する面である第一面と、前記第一面とは反対側の面であって読み取りの対象となる原稿に接触可能な第二面とを有する第二透明板と、前記第一透明板と前記第二透明板とを対向させた状態で、前記第一透明板と前記第二透明板との周縁部を保持し、且つ、前記第一透明板と前記第二透明板との間に形成される内部空間を有する箱状且つ非透光性の筐体と、前記内部空間に設けられ、前記第一透明板および前記第二透明板の対向する方向である対向方向と直交する主走査方向に延び、前記第一透明板と前記第二透明板との間を移動可能な可動部と、前記可動部に設けられ、前記第二透明板に向けて光を照射可能な光源と、前記第二透明板側から入射する光を受光可能な検出素子とを有する検出部と、前記内部空間において前記第一透明板と前記対向方向に重複しない位置に設けられ、前記可動部を前記第一面に沿って、前記対向方向と前記主走査方向とに直交する副走査方向に往復移動させることが可能な駆動部と、前記内部空間において前記第一透明板と前記対向方向に重複しない位置に設けられ、前記光源および前記検出素子に対して電気的に接続されたケーブルと、前記検出部における前記主走査方向の一方側の端部であり、且つ前記第一透明板と前記対向方向に重複しない部位である延設端部において、前記ケーブルを保持するケーブル保持部とを備える。
【０００７】
上記画像読取装置では、対向配置された第一透明板および第二透明板を保持する筐体の内部空間において、光源と検出素子とを有する検出部が設けられた可動部が、副走査方向に往復移動可能である。筐体の内部空間において第一透明板と対向方向に重複しない位置には、光源および検出素子に対して電気的に接続されたケーブルが設けられる。検出部の延設端部は、第一透明板と対向方向に重複しない位置に設けられている。ケーブル保持部によって、ケーブルは延設端部で保持される。
【０００８】
これによれば、筐体の内部空間に設けられたケーブルは、第一透明板を介して対向方向に露出しない。したがって、筐体を第一透明板側から対向方向に目視した場合、ユーザはケーブルを認識することができない。第二透明板の第二面に接触している原稿は、ケーブルによって視界を妨げられることなく、第一透明板および第二透明板を介して対向方向に露出する。したがって、可動体の移動に伴って変形するケーブルによって読み取り対象の原稿の視認性が妨げられることを抑制できる。
【図面の簡単な説明】
【０００９】
【図１】スキャナ１の斜め上方からみた全体斜視図である。
【図２】スキャナ１の斜め下方からみた全体斜視図である。
【図３】スキャナ１の平面図である。
【図４】第二透明板４を取り除いた、スキャナ１の斜め下方からみた全体斜視図である。
【図５】下カバー２Ｂおよび第二透明板４を取り除いた、スキャナ１の底面図である。
【図６】図３に示すＩ−Ｉ線矢視方向断面図である。
【図７】図３に示すＩＩＩ−ＩＩＩ線矢視方向断面図である。
【図８】図３に示すＩＩ−ＩＩ線矢視方向断面図である。
【図９】図８に示すスキャナ１の後端部の部分拡大図である。
【図１０】変形例に係るスキャナ１の右端部の部分拡大図である。
【発明を実施するための形態】
【００１０】
本発明の実施形態について、図面を参照して説明する。参照する図面は、本発明が採用し得る技術的特徴を説明するために用いられるものである。図面に記載されている装置の構成、各種処理のフローチャート等は、それのみに限定する趣旨ではなく、単なる説明例である。
【００１１】
以下の説明では、図１の紙面の上側、下側、左上側、右下側、左下側、右上側を、それぞれスキャナ１の上側、下側、前側、後側、左側、右側と定義して説明する。後述する検出部５（図４参照）において複数の検出素子が配列された方向を、主走査方向Ｙという。検出部５が移動する方向を、副走査方向Ｘという。後述する第一透明板３（図１参照）および第二透明板４（図２参照）が対向する方向を、対向方向Ｚという。本実施形態では、主走査方向Ｙは前後方向、副走査方向Ｘは左右方向、対向方向Ｚは上下方向であり、各方向Ｘ、Ｙ、Ｚは互いに直交する。
【００１２】
図１〜図３を参照し、スキャナ１の概要を説明する。本実施形態では、ユーザが読み取りの対象となる原稿１００（図３参照）を目視で確認できる状態で、原稿１００から画像を読み取り可能である所謂シースルー型のスキャナ１を例示する。
【００１３】
図１に示すように、スキャナ１は、略直方体状の筐体２を有する。筐体２は、主走査方向Ｙが短手方向をなし、副走査方向Ｘが長手方向をなし、且つ対向方向Ｚの長さが小さい薄型板状の外観である。筐体２は、第一透明板３と第二透明板４とを対向させた状態で、第一透明板３と第二透明板４との周縁部を保持している。筐体２は、非透光性の樹脂カバー（上カバー２Ａおよび下カバー２Ｂ）で構成された箱状体である。筐体２の下面２２を構成する下カバー２Ｂの上側に、筐体２の上面２１を構成する上カバー２Ａが組み付けられる。上カバー２Ａの周壁と下カバー２Ｂの周壁とによって、筐体２の前面２３、後面２４、左面２５、右面２６が形成される。
【００１４】
上面２１の略中央には、筐体２の内部に貫通する開口２１３が設けられている（図４参照）。開口２１３は、主走査方向Ｙが短手方向をなし、且つ副走査方向Ｘが長手方向をなす長方形状である。開口２１３は、開口２１３よりも僅かに大きい略同形の第一透明板３によって塞がれている。第一透明板３は、開口２１３の輪郭に沿って形成された縁部２１２に固着された状態で、開口２１３を取り囲む板部２１１によって周縁部が保持されている。第一透明板３は、例えばアクリルで構成された透明な板状部材である。第一透明板３は、上方を向く外面３１と下方を向く内面３２（図６参照）とを有する。
【００１５】
板部２１１は、開口２１３の前側、後側、右側、左側にそれぞれ設けられた前板部２１１Ａ、後板部２１１Ｂ、右板部２１１Ｃ、左板部２１１Ｄを含む。前板部２１１Ａおよび後板部２１１Ｂは、それぞれ主走査方向Ｙの長さが等しい。左板部２１１Ｄは、右板部２１１Ｃよりも副走査方向Ｘの長さが大きい。つまり第一透明板３は、平面視で上面２１の中央よりもやや右寄りに配置されている。
【００１６】
図２に示すように、下面２２の略中央には、筐体２の内部に貫通する開口２２３が、開口２１３と対向して設けられている（図４参照）。開口２２３は、上面２１の開口２１３よりも副走査方向Ｘの長さおよび主走査方向Ｙの長さが大きい長方形状である。開口２２３は、主走査方向Ｙに対して、下面２２のほぼ全体に亘って形成されている。開口２２３は、開口２２３よりも僅かに大きい略同形の第二透明板４によって塞がれている。第二透明板４は、開口２２３の輪郭に沿って形成された縁部２２２に固着された状態で、開口２２３を取り囲む板部２２１によって周縁部が保持されている。
【００１７】
第二透明板４は、例えばアクリルで構成された透明な板状部材である。第二透明板４は、上方を向く外面４１と、下方を向く内面４２（図６参照）とを有する。内面４２は、第一透明板３の内面３２と対向する面である。外面４１は、内面４２とは反対側の面であって読み取りの対象となる原稿１００（図３参照）に接触可能である。
【００１８】
板部２２１は、開口２２３の右側および左側にそれぞれ設けられた右板部２２１Ａおよび左板部２２１Ｂを含む。右板部２２１Ａおよび左板部２２１Ｂは、それぞれ上面２１の右板部２１１Ｃおよび左板部２１１Ｄよりも、副走査方向Ｘの長さが小さい。つまり第二透明板４は、底面視で第一透明板３の全体を含むように、下面２２のほぼ全体に配置されている。第二透明板４には、後述するキャリブレーション用の基準部２００が設けられている。
【００１９】
ユーザは、原稿１００（図３参照）の上にスキャナ１を配置して読み取り（スキャン）を行ったり、スキャナ１の下側に原稿１００を配置して読み取りを行なったりすることができる。図３に示す例では、スキャナ１の下側に配置された原稿１００の一部が、第一透明板３および第二透明板４を介して、スキャナ１の上方に露出している。ユーザはスキャナ１の上方から、原稿１００のうちで開口２１３から目視可能な範囲を、スキャナ１の読取範囲として把握できる。
【００２０】
図４〜図９を参照して、筐体２の内部構造を説明する。理解を容易にするために、図４は第二透明板４を取り除いて図示している。図５は、下カバー２Ｂおよび第二透明板４を取り除いて図示し、且つ、基準部２００を仮想線で図示している。図４および図５に示すように、筐体２の内部には、可動部６、検出部５、駆動部８、ケーブル９０等が設けられている。
【００２１】
可動部６を説明する。図５〜図７に示すように、可動部６は、筐体２の内部空間で第一透明板３と第二透明板４との間を移動可能な可動体であり、壁部６１、遮光部６２、ガイド体６３を有する。壁部６１は、検出部５を第二透明板４側（本実施形態では、下側）とは異なる方向から被覆する非透光性の板状部であり、上壁６１Ａ、左壁６１Ｂ、右壁６１Ｃから構成される。上壁６１Ａ、左壁６１Ｂ、右壁６１Ｃは、筐体２の内部において、前面２３と後面２４との間を主走査方向Ｙに延びる長方形状である。
【００２２】
上壁６１Ａは、第一透明板３および第二透明板４の略中間にある対向方向Ｚの位置に設けられ、且つ、第一透明板３および第二透明板４と平行に副走査方向Ｘに延びる。左壁６１Ｂおよび右壁６１Ｃは、それぞれ、上壁６１Ａの左辺および右辺に沿って設けられ、且つ、上壁６１Ａから第二透明板４側（本実施形態では、下側）に突出する。上壁６１Ａ、左壁６１Ｂ、右壁６１Ｃで形成される凹部６４に、検出部５が収容される。
【００２３】
右壁６１Ｃには、ケーブル９０を通すためのスリット６５が設けられている（図７参照）。スリット６５は、右壁６１Ｃを副走査方向Ｘに貫通し、且つ主走査方向Ｙに延びる開口である。スリット６５は、後述の連結部５５と副走査方向Ｘに対向する。右壁６１Ｃの下端には、遮光部６２が設けられている。遮光部６２は、右壁６１Ｃの下端から右方向（図７では、左方向）に向けて、第二透明板４の内面４２に沿って突出する鍔状の部位である。遮光部６２は、検出部５の読取精度を高めるために、右壁６１Ｃと第二透明板４の内面４２との間に自然光（具体的には、発光素子以外の光源から発せられた光）が進入することを防止する。
【００２４】
上壁６１Ａの後方側端部の上面に、左右一対のガイド体６３（後側ガイド体６３）が支持されている。図示しないが、上壁６１Ａの前方側端部の上面に、副走査方向Ｘに延びる楔形状のガイド体６３（前側ガイド体６３）が支持されている。
【００２５】
図５および図８に示すように、前板部２１１Ａの下面には、副走査方向Ｘに延びる溝状のガイドレール７Ａが設けられる。前側ガイド体６３は、ガイドレール７Ａに沿って副走査方向Ｘに移動可能である。後板部２１１Ｂの下面には、副走査方向Ｘに延びる溝状のガイドレール７Ｂが設けられる。左右一対の後側ガイド体６３は、ガイドレール７Ｂに沿って副走査方向Ｘに移動可能である。これにより可動部６は、ガイドレール７Ａ、７Ｂに沿って、後述の検出部５を支持しながら第一透明板３および第二透明板４の間を副走査方向Ｘに往復移動可能である。
【００２６】
検出部５を説明する。図４および図５に示すように、可動部６の凹部６４（図７参照）の内部では、第二透明板４の内面４２と対向するように検出部５が設けられている。検出部５は、主走査方向Ｙに延びる箱状体であり、図示しない光源および複数の検出素子が内部に収容されている。光源は、第二透明板４に向けて検出光を照射可能である。複数の検出素子は、第二透明板４側（本実施形態では、下側）から入射する光を受光可能である。
【００２７】
一例として、検出部５は、ＣＩＳ（Ｃｏｎｔａｃｔ  Ｉｍａｇｅ  Ｓｅｎｓｏｒ）方式の読取センサである。検出部５の主走査方向Ｙの長さは、第二透明板４の主走査方向Ｙの長さと略同一である。複数の検出素子は、主走査方向Ｙに等間隔で並んで配置されている。光源は、複数の検出素子に隣接した位置に配置されている。光源が検出光を照射した場合、複数の検出素子は検出光の反射光を受光する。
【００２８】
検出部５の主走査方向Ｙの両端部には、第二透明板４の内面４２と接触する樹脂製の摺動突起５１が設けられている。詳細には、検出部５の前端部の下面に、若干下方に突出する左右一対の摺動突起５１（前側摺動突起５１）が設けられている。検出部５の後端部の下面に、若干下方に突出する左右一対の摺動突起５１（後側摺動突起５１）が設けられている。
【００２９】
検出部５は、凹部６４の内部に設けられた付勢バネ（図示外）によって、下側に付勢されている。この付勢によって、左右一対の前側摺動突起５１は、下面２２の開口２２３の前縁部で第二透明板４の内面４２に接触する。同様に、左右一対の後側摺動突起５１は、下面２２の開口２２３の後縁部で第二透明板４の内面４２に接触する。光源および複数の検出素子は、第二透明板４の内面４２に対して若干離間した位置に保持される。
【００３０】
可動部６が副走査方向Ｘに移動するのに伴って、前側摺動突起５１および後側摺動突起５１は第二透明板４の内面４２に沿って副走査方向Ｘに摺動する。これにより検出部５は、第二透明板４の内面４２に沿って光源および複数の検出素子を副走査方向Ｘに移動させて、原稿１００（図３参照）および基準部２００の読み取りを実行できる。本実施形態では、後述する可動部６の移動制御および検出部５の読取制御等は、スキャナ１に設けられたＣＰＵ等の制御回路（図示外）によって行われる。
【００３１】
平面視で、検出部５の主走査方向Ｙの両端部は、第一透明板３に対して主走査方向Ｙに突出している（図５参照）。検出部５における主走査方向Ｙの一方側の端部（本実施形態では、後端部）は、延設端部５０である。つまり延設端部５０は、検出部５のうちで第一透明板３と対向方向Ｚに重複しない部位である。図７に示すように、延設端部５０の上面には、ケーブル９０を連結可能な連結部５５が設けられている。スリット６５と対向する連結部５５の右面（図７では、連結部５５の左側の面）に、後述の端子部９２を接続可能な接続端子（図示外）が設けられている。ケーブル９０は連結部５５に連結されて、検出部５の光源および複数の検出素子に対して電気的に接続する。
【００３２】
ケーブル９０を説明する。図４および図５に示すように、ケーブル９０は、検出部５の光源および複数の検出素子に対する電源供給および電気通信を行うためのケーブルである。ケーブル９０は、筐体２の内部空間において、第一透明板３と対向方向Ｚに重複しない位置に設けられる。本実施形態では、ケーブル９０が左板部２１１Ｄおよび後板部２１１Ｂの各下面に配置されている。
【００３３】
本実施形態のケーブル９０は、コード部９１、端子部９２、固定部９３を有するハーネスである。コード部９１は、複数の電線（図示外）が並列配置された可撓性を有する帯状体である。端子部９２は、コード部９１の一端部に設けられ、先述の連結部５５に連結される部位である。固定部９３は、コード部９１の他端部に設けられ、筐体２の内部空間で固定される部位である。固定部９３は、駆動部８によって移動される可動部６よりも副走査方向Ｘの一方側（本実施形態では、左側）に設けられる。本実施形態では、固定部９３は左板部２１１Ｄの下面に固定されて、制御回路（図示外）に接続されている。
【００３４】
コード部９１は、固定部９３から左板部２１１Ｄの下面に沿って主走査方向Ｙの一方側（本実施形態では、後側）に延び、さらに端子部９２に向けて後板部２１１Ｂの下面に沿って副走査方向Ｘの他方側（本実施形態では、右側）に延びる。図５および図６に示すように、コード部９１は、延設端部５０と第一透明板３との間を経由して右方に延び、且つ、延設端部５０よりも副走査方向Ｘの他方側（本実施形態では、右側）で延設端部５０に向けて正面視でＵの字を描くように下方に湾曲する。この湾曲した部分が、コード部９１の湾曲部９１Ａである。
【００３５】
図６および図７に示すように、コード部９１の後板部２１１Ｂの下面側に配置された部分のうち、湾曲部９１Ａから固定部９３に向けて延びる部分が上側コード９１Ｂであり、湾曲部９１Ａから端子部９２に向けて延びる部分が下側コード９１Ｃである。湾曲部９１Ａ、上側コード９１Ｂおよび下側コード９１Ｃでは、いずれも複数の電線（図示外）が主走査方向Ｙに並んだ状態であるため、対向方向Ｚの幅よりも主走査方向Ｙの幅のほうが大きい。上側コード９１Ｂおよび下側コード９１Ｃは、対向方向Ｚに対向している。
【００３６】
図７に示すように、下側コード９１Ｃは先述のスリット６５に挿通されている。端子部９２は、凹部６４内で連結部５５の接続端子（図示外）に接続されている。先述したように接続端子（図示外）は連結部５５の右面に設けられているため、端子部９２は副走査方向Ｘの他方側（本実施形態では、右側）から連結部５５に連結される。
【００３７】
図５および図８に示すように、後板部２１１Ｂの下面には、可動部６の移動に伴って変形するコード部９１をガイドするガイド部９が設けられている。ガイド部９は、主走査方向Ｙにおいてガイドレール７Ｂと開口２１３との間に位置し、且つ、延設端部５０と対向して副走査方向Ｘに延びる板状部である。ガイド部９の延設端部５０と対向する上面側に、コード部９１が着脱自在に収容可能な溝部９Ａが形成されている。上側コード９１Ｂは、湾曲部９１Ａが生じる弾性力によって上側に付勢され、溝部９Ａ内に収容される。
【００３８】
図９に示すように、ガイド部９は、主走査方向Ｙに対向する一対の壁部である後壁９Ｂおよび前壁９Ｃを有する。後壁９Ｂは、ガイドレール７Ｂの前縁部に沿って副走査方向Ｘに延び、且つ、後板部２１１Ｂの下面から第二透明板４側（本実施形態では、下側）に突出する。前壁９Ｃは、開口２１３の後縁部に沿って副走査方向Ｘに延び、且つ、後板部２１１Ｂの下面から第二透明板４側（本実施形態では、下側）に突出する。
【００３９】
後壁９Ｂと前壁９Ｃとの離間距離（つまり、主走査方向Ｙの距離）は、コード部９１の主走査方向Ｙの幅よりも僅かに大きい。後壁９Ｂと前壁９Ｃの突出高さ（つまり、対向方向Ｚの長さ）は、コード部９１の対向方向Ｚの幅よりも若干大きい。後壁９Ｂと前壁９Ｃとの間に、溝部９Ａが形成される。後壁９Ｂと前壁９Ｃとの対向する面の突出端（つまり、後壁９Ｂの前側下端部および前壁９Ｃの後側下端部）は、それぞれ副走査方向Ｘに亘って面取りされた傾斜面９Ｄである。
【００４０】
駆動部８を説明する。図５および図８に示すように、駆動部８は、ベルト８０、一対のプーリ８１、ベルト保持部８２、ベルト駆動部８３等を有する。ベルト８０は、上面２１の前板部２１１Ａの下面側で副走査方向Ｘに延びるように配置され、且つ、可動部６の前端側に連結されている。一対のプーリ８１のうち、右側のプーリ８１は右板部２１１Ｃの下面の前端部に立設されており、図示しない左側のプーリ８１は左板部２１１Ｄの下面の前端部に立設されている。一対のプーリ８１は、対向方向Ｚを中心に回転自在であり、ベルト８０が副走査方向Ｘに架け渡されている。
【００４１】
右側のプーリ８１は、右板部２１１Ｃの下面に設けられたベルト保持部８２で保持されている。ベルト保持部８２は、ベルト８０にテンションを付与する。図示しない左側のプーリ８１は、左板部２１１Ｄの下面に設けられたベルト駆動部８３で保持されている。ベルト駆動部８３は、左側のプーリ８１を回転駆動するモータ（図示外）を有する。ベルト駆動部８３が左側のプーリ８１を回転駆動することで、ベルト８０が筐体２の内部において可動部６を副走査方向Ｘに往復移動させる。ベルト８０によって移動される可動部６は、ガイドレール７Ａ、７Ｂによって副走査方向Ｘに案内される。
【００４２】
可動部６の移動制御および検出部５の読取制御を説明する。スキャナ１の起動時または終了時に、駆動部８を制御して可動部６を初期位置に移動させる。初期位置は、可動部６の可動範囲の左端部である。スキャナ１は、原稿１００の読み取り開始が指示されると、駆動部８を制御して可動部６を右方向に若干移動させて、可動部６を基準位置（図５に示す可動部６の位置）まで移動させる。基準位置は、キャリブレーションの実行時の基準となる、可動部６が基準部２００と対向する位置である。
【００４３】
図５〜図７に示すように、第二透明板４の内面４２には、基準部２００が設けられている。基準部２００は、第二透明板４の前後両端に亘って主走査方向Ｙに延び、且つ、副走査方向Ｘの長さが小さいシートである。基準部２００は、キャリブレーションを行うための基準色（例えば、白）の領域である。基準部２００は、第二透明板４の内面４２の左端部よりも若干右側に設けられ、且つ、底面視で上面２１の開口２１３よりも左側に設けられている。したがって、図３に示すように、スキャナ１を上方から目視しても、ユーザは基準部２００を認識することはできない。
【００４４】
スキャナ１は、検出部５から基準部２００を読み取ることで、公知のキャリブレーション手法によって複数の検出素子の色レベルを補正する。その後、スキャナ１は、可動部６を副走査方向Ｘに往復移動させながら、検出部５によって原稿１００（図３参照）から画像を読み取る。可動部６の可動範囲の右端部は、終端位置である。可動部６が可動範囲を往復移動するのに伴って、コード部９１が弾性変形して湾曲部９１Ａの形成位置が変化する。これに伴って、上側コード９１Ｂの副走査方向Ｘの長さと下側コード９１Ｃの副走査方向Ｘの長さとが、以下のように変化する。
【００４５】
図５および図６に示すように、可動部６が初期位置または基準位置にある場合、筐体２の内部空間において副走査方向Ｘの中心位置よりもやや右側（図６では、やや左側）に、湾曲部９１Ａは形成される。このとき、上側コード９１Ｂの長さが最も小さい状態となる一方、下側コード９１Ｃの長さが最も大きい状態となる。本実施形態では、上側コード９１Ｂのうちで、筐体２の内部空間において副走査方向Ｘの中心位置よりも左側（図６では、右側）に配置された部分は、溝部９Ａの内部に接着固定されている。
【００４６】
可動部６が基準位置から副走査方向Ｘの他方側（本実施形態では、右側）に移動するのに伴って、湾曲部９１Ａの形成位置が右側に移動する。これに伴って、上側コード９１Ｂの右側部分が、湾曲部９１Ａが生じる弾性力によって上側に付勢され、溝部９Ａ内に収容される。
【００４７】
これにより、可動部６が右側に移動するほど、上側コード９１Ｂが長くなる。可動部６が終端位置まで移動すると、筐体２の内部空間において副走査方向Ｘの右端部（つまり、右面２６の左面側）に、湾曲部９１Ａが形成される。このとき、上側コード９１Ｂの長さが最も大きい状態となる一方、下側コード９１Ｃの長さが最も小さい状態となる。
【００４８】
逆に、可動部６が基準位置から副走査方向Ｘの一方側（本実施形態では、左側）に移動するのに伴って、湾曲部９１Ａの形成位置が左側に移動する。これに伴って、上側コード９１Ｂの右側部分が、溝部９Ａ内から下側に引き出される。これにより、可動部６が左側に移動するほど、下側コード９１Ｃが長くなる。
【００４９】
以上説明したように、本実施形態のスキャナ１では、対向配置された第一透明板３および第二透明板４を保持する筐体２の内部空間において、光源と検出素子とを有する検出部５が設けられた可動部６が、副走査方向Ｘに往復移動可能である。筐体２の内部空間において第一透明板３と対向方向Ｚに重複しない位置には、光源および複数の検出素子に対して電気的に接続されたケーブル９０が設けられる。検出部５の延設端部５０は、第一透明板３と対向方向Ｚに重複しない位置に設けられている。連結部５５によって、ケーブル９０は延設端部５０で保持される。
【００５０】
これによれば、筐体２の内部空間に設けられたケーブル９０は、第一透明板３を介して対向方向Ｚに露出しない。したがって、筐体２を第一透明板３側から対向方向Ｚに目視した場合、ユーザはケーブル９０を認識することができない。第二透明板４の外面４１に接触している原稿１００は、ケーブル９０によって視界を妨げられることなく、第一透明板３および第二透明板４を介して対向方向Ｚに露出する。したがって、可動部６の移動に伴って変形するケーブル９０によって読み取り対象の原稿１００の視認性が妨げられることを抑制できる。
【００５１】
ケーブル９０は、筐体２の内部空間に固定される固定部９３と、検出部５の連結部５５に連結される端子部９２と、複数の電線が並列配置された帯状のコード部９１とを有する。固定部９３は、可動部６よりも左側（つまり、副走査方向Ｘの基準位置側）に設けられる。コード部９１は、延設端部５０と第一透明板３との間を経由し、且つ、延設端部５０よりも右側（つまり、副走査方向Ｘの終端位置側）で延設端部５０に向けて湾曲する。端子部９２は、検出部５の連結部５５に対して右側から連結される。
【００５２】
これにより、帯状のコード部９１は、その厚み方向（つまり、対向方向Ｚ）に屈曲して連結部５５の右側に連結されるため、可動部６の移動に伴ってコード部９１が屈曲しても、コード部９１は第一透明板３と対向方向Ｚに重複する位置に飛び出しにくい。したがって、可動部６の移動に伴ってコード部９１が変形する場合でも、コード部９１によって読み取り対象の原稿１００の視認性が妨げられることを抑制できる。
【００５３】
スキャナ１の内部空間には、溝部９Ａが形成されたガイド部９が設けられている。ケーブル９０の上側コード９１Ｂは溝部９Ａに収容されるため、余剰なコード部９１が第一透明板３と対向方向Ｚに重複する位置に飛び出しにくい。さらに、可動部６の移動に伴ってコード部９１が変形する場合、コード部９１の変形する方向を厚み方向（つまり、対向方向Ｚ）に規制されるため、コード部９１が第一透明板３と対向方向Ｚに重複する位置に飛び出しにくい。
【００５４】
溝部９Ａを形成する後壁９Ｂおよび前壁９Ｃの対向する面の突出端は、それぞれ面取りされた傾斜面９Ｄである。したがって、可動部６の移動に伴ってコード部９１が変形する場合に、溝部９Ａに対する上側コード９１Ｂの収容および引き出しをスムーズにすることができ、コード部９１が第一透明板３と対向方向Ｚに重複する位置に飛び出すことをより確実に防止できる。
【００５５】
上記実施形態において、スキャナ１が本発明の「画像読取装置」に相当する。連結部５５が本発明の「ケーブル保持部」に相当する。本発明は上記実施形態に限定されるものではなく、発明の要旨を変更しない範囲での変更が可能である。
【００５６】
例えば、本発明の「画像読取装置」は、スキャナ１に限定されず、コピー機能やスキャナ機能を有した複合機等であってもよい。第一透明板３および第二透明板４の材料は、アクリルに限定されず、他の材料（例えば、ガラスやポリカーボネート等）でもよい。本発明の「駆動部」は、可動部６をベルトによって搬送する機構に限定されず、可動部６を他の手法で駆動する機構（例えば、ラックアンドピニオン、ボールねじ、リードスクリュー、チェーン）でもよい。
【００５７】
本発明の「ケーブル保持部」は、ケーブル９０を連結可能な連結部５５に限定されず、光源および複数の検出素子に対して電気的に接続されたケーブル９０を、延設端部５０で保持可能な部材であればよい。例えば、本発明の「ケーブル保持部」は、ケーブル９０の下側コード９１Ｃを延設端部５０に固定する固定ピン、接着剤、クリップなどでもよいし、下側コード９１Ｃを嵌め込み可能な溝が形成された支持部品であってもよい。
【００５８】
図１０に示すように、可動部６に湾曲部９１Ａのカーブを緩やかにするための緩衝部６６を設けてもよい。緩衝部６６は、凹部６４の内部において上壁６１Ａと右壁６１Ｃとの連結部分に設けられた、スリット６５の上端部に連結される傾斜面である。緩衝部６６は、下側コード９１Ｃを連結部５５から第二透明板４に向けて傾斜するように案内する。凹部６４の内部では、下側コード９１Ｃが緩衝部６６に接着固定されている。下側コード９１Ｃは緩衝部６６に沿って、スリット６５を介して凹部６４の内部から右下方向に排出される。これにより、上側コード９１Ｂと下側コード９１Ｃとの離間距離が大きくなり、湾曲部９１Ａのカーブを緩やかにすることができる。
【符号の説明】
【００５９】
１    スキャナ
２    筐体
３    第一透明板
４    第二透明板
５    検出部
６    可動部
８    駆動部
９    ガイド部
９Ａ    溝部
９Ｂ    後壁
９Ｃ    前壁
９Ｄ    傾斜面
５０    延設端部
５５    連結部
９０    ケーブル
９１    コード部
９１Ａ    湾曲部
９１Ｂ    上側コード
９１Ｃ    下側コード
９２    端子部
９３    固定部
１００    原稿
【図１】
2014168218.tif 000003
【図２】
2014168218.tif 000004
【図３】
2014168218.tif 000005
【図４】
2014168218.tif 000006
【図５】
2014168218.tif 000007
【図６】
2014168218.tif 000008
【図７】
2014168218.tif 000009
【図８】
2014168218.tif 000010
【図９】
2014168218.tif 000011
【図１０】
2014168218.tif 000012